(57)【要約】【課題】住宅内に設置されているセキュリティ親機の警戒モード／非警戒モードの切替を住宅外から確実に行う。【解決手段】住宅Ｈの玄関扉１００に、操作器５から送信される無線信号を親機１に中継する中継器（電気錠装置５）が設置されている。したがって、外出しようとする住人が玄関扉１００の外から操作器５を操作して無線信号を送信した場合においても、玄関扉１００に設置されている中継器（電気錠装置５）が操作器５から送信された無線信号を親機１に中継するので、住宅Ｈ内に設置されている親機１の警戒モード／非警戒モードの切替を住宅Ｈ外から確実に行うことができる。【選択図】        図１
2010282571.tif 000002
【特許請求の範囲】
【請求項１】
住宅内に設置されて当該住宅の窓や出入口の戸締まり状態に関わる異常を検出して異常検出信号を送信する１乃至複数のセキュリティセンサと、住宅内に設置されるセキュリティ親機と、操作釦を有し、当該操作釦が操作されると電波を媒体とする無線信号を送信する携帯型の操作器とを備え、セキュリティ親機は、警戒モードに設定されているときにセキュリティセンサから送信される異常検出信号を受信した場合は警報を発し、非警戒モードに設定されているときに前記異常検出信号を受信した場合は警報を発せず、操作器から送信される無線信号を受信したときに警戒モードと非警戒モードを切り替えるものであって、玄関扉に設置されて操作器から送信される無線信号をセキュリティ親機に中継する中継器を備えたことを特徴とするセキュリティシステム。
【請求項２】
操作器は、固有の識別符号を含むＩＤ情報を無線信号によって伝送し、
中継器は、操作器から送信される無線信号を受信するとともに当該無線信号のＩＤ情報が予め設定されているＩＤ情報と一致する場合に施錠又は解錠する電気錠装置からなることを特徴とする請求項１記載のセキュリティシステム。
【請求項３】
セキュリティ親機は、警戒モードと非警戒モードの何れのモードに切り替えられているかを示すモード情報を電波を媒体とする無線信号によって操作器に送信し、
操作器は、光や音によって情報を表示する表示手段を有し、セキュリティ親機から送信される無線信号を受信するとともに当該無線信号のモード情報に基づいてセキュリティ親機が警戒モードと非警戒モードの何れに切り替わっているかを表示手段で表示することを特徴とする請求項１又は２記載のセキュリティシステム。
【請求項４】
セキュリティ親機は、セキュリティセンサによる異常検出の状況を電波を媒体とする無線信号によって操作器に送信し、
操作器は、光や音によって情報を表示する表示手段を有し、セキュリティ親機から送信される無線信号を受信するとともに当該無線信号の異常検出状況を表示手段で表示することを特徴とする請求項１〜３の何れか１項に記載のセキュリティシステム。
【請求項５】
操作器は、前記ＩＤ情報を暗号化して伝送することを特徴とする請求項２〜４の何れか１項に記載のセキュリティシステム。
【請求項６】
セキュリティ親機は、住宅内に設置されている電気機器を制御する制御手段を具備し、制御手段は、少なくとも警戒モードと非警戒モードの切り替え時に電気機器を制御することを特徴とする請求項１〜５の何れか１項に記載のセキュリティシステム。
【発明の詳細な説明】
【技術分野】
【０００１】
本発明は、住宅内への不審者の侵入を防ぐためのセキュリティシステムに関するものである。
【背景技術】
【０００２】
従来、窓の開閉状態や窓ガラスの破壊、あるいは窓や出入口の錠前の施解錠の状態等を検出するセキュリティセンサと、セキュリティセンサから電波を媒体として送信される無線信号を受信するセキュリティ親機とを備えたセキュリティシステムが提供されている（例えば、特許文献１参照）。この従来システムでは、異常（窓の開や窓ガラスの破壊、あるいは窓や出入口の錠前の解錠など）を検出したセキュリティセンサが異常発生を通知するための無線信号を送信し、当該無線信号を受信したセキュリティ親機は、非警戒モードに設定されている場合は何も行わず、警戒モードに設定されている場合に警報音を鳴動させるようになっている。また、特許文献１に記載されている従来例では、セキュリティ親機の筐体に設けられた操作釦の操作によって警戒モードと非警戒モードが切り替えられるとともに、携帯型の操作器から電波を媒体として送信される無線信号によってもセキュリティ親機を警戒モードと非警戒モードに切り替えることができる。
【０００３】
ここで、我が国で使用する無線局については、送信電力や占有周波数帯幅、隣接チャンネル漏洩電力などの使用電波の特性（ＲＦ特性）が電波法の規定を満たしていなくてはならない。また、電波法では使用目的ごとに異なる規格（通信規格）が規定されている。例えば、電波法第４条ただし書きにおいて免許を要しない無線局の一つとして規定される「小電力無線局」には、「コードレス電話の無線局」、「特定小電力無線局」、「小電力セキュリティシステム」、「小電力データ通信システムの無線局」などがあり、それぞれの無線局の無線設備について同法施行規則の設備規則によって規格が規定されている。そして、上述のようなセキュリティシステムでは、「小電力セキュリティシステム」の規格に適合した無線局としてセキュリティセンサやセキュリティ親機が構成されている。
【先行技術文献】
【特許文献】
【０００４】
【特許文献１】特開２００７−２３３６８１号公報
【発明の概要】
【発明が解決しようとする課題】
【０００５】
しかしながら、「小電力無線局」の規格では空中線電力が１０ミリワット以下に制限されているため、例えば、セキュリティ親機が居間に設置されている場合、玄関扉の外から操作器を操作して無線信号を送信しても、玄関扉が金属製であるがために電波が遮蔽あるいは減衰されてしまい、セキュリティ親機に届かない虞があった。
【０００６】
本発明は上記事情に鑑みて為されたものであり、その目的は、住宅内に設置されているセキュリティ親機の警戒モード／非警戒モードの切替を住宅外から確実に行うことができるセキュリティシステムを提供することにある。
【課題を解決するための手段】
【０００７】
請求項１の発明は、上記目的を達成するために、住宅内に設置されて当該住宅の窓や出入口の戸締まり状態に関わる異常を検出して異常検出信号を送信する１乃至複数のセキュリティセンサと、住宅内に設置されるセキュリティ親機と、操作釦を有し、当該操作釦が操作されると電波を媒体とする無線信号を送信する携帯型の操作器とを備え、セキュリティ親機は、警戒モードに設定されているときにセキュリティセンサから送信される異常検出信号を受信した場合は警報を発し、非警戒モードに設定されているときに前記異常検出信号を受信した場合は警報を発せず、操作器から送信される無線信号を受信したときに警戒モードと非警戒モードを切り替えるものであって、玄関扉に設置されて操作器から送信される無線信号をセキュリティ親機に中継する中継器を備えたことを特徴とする。
【０００８】
請求項１の発明によれば、外出しようとする住人が玄関扉の外から操作器を操作して無線信号を送信した場合においても、玄関扉に設置されている中継器が操作器から送信された無線信号をセキュリティ親機に中継するので、住宅内に設置されているセキュリティ親機の警戒モード／非警戒モードの切替を住宅外から確実に行うことができる。
【０００９】
請求項２の発明は、請求項１の発明において、操作器は、固有の識別符号を含むＩＤ情報を無線信号によって伝送し、中継器は、操作器から送信される無線信号を受信するとともに当該無線信号のＩＤ情報が予め設定されているＩＤ情報と一致する場合に施錠又は解錠する電気錠装置からなることを特徴とする。
【００１０】
請求項２の発明によれば、セキュリティ親機の警戒モードと非警戒モードの切り替えと玄関扉の施錠及び解錠とを一つの操作器で一度に行うことができて利便性が向上する。
【００１１】
請求項３の発明は、請求項１又は２の発明において、セキュリティ親機は、警戒モードと非警戒モードの何れのモードに切り替えられているかを示すモード情報を電波を媒体とする無線信号によって操作器に送信し、操作器は、光や音によって情報を表示する表示手段を有し、セキュリティ親機から送信される無線信号を受信するとともに当該無線信号のモード情報に基づいてセキュリティ親機が警戒モードと非警戒モードの何れに切り替わっているかを表示手段で表示することを特徴とする。
【００１２】
請求項３の発明によれば、操作器の表示手段でセキュリティ親機が警戒モードと非警戒モードの何れに切り替わっているかを確認することができて利便性が向上する。
【００１３】
請求項４の発明は、請求項１〜３の何れか１項の発明において、セキュリティ親機は、セキュリティセンサによる異常検出の状況を電波を媒体とする無線信号によって操作器に送信し、  操作器は、光や音によって情報を表示する表示手段を有し、セキュリティ親機から送信される無線信号を受信するとともに当該無線信号の異常検出状況を表示手段で表示することを特徴とする。
【００１４】
請求項４の発明によれば、操作器の表示手段でセキュリティセンサの異常検出の状況、例えば、窓や出入口の戸締まり状態を確認することができて利便性が向上する。
【００１５】
請求項５の発明は、請求項２〜４の何れか１項の発明において、操作器は、前記ＩＤ情報を暗号化して伝送することを特徴とする。
【００１６】
請求項５の発明によれば、操作器以外のものから送信される無線信号によってセキュリティ親機が不正に非警戒モードに切り替えられたり、電気錠装置が不正に解錠されるのを防ぐことができる。
【００１７】
請求項６の発明は、請求項１〜５の何れか１項の発明において、セキュリティ親機は、住宅内に設置されている電気機器を制御する制御手段を具備し、制御手段は、少なくとも警戒モードと非警戒モードの切り替え時に電気機器を制御することを特徴とする。
【００１８】
請求項６の発明によれば、例えば、警戒モードに切り替えられたときに制御手段が住宅内の電気機器（照明器具や空調機＜エアコンディショナ＞など）を停止させるとともに、非警戒モードに切り替えられたときに制御手段が住宅内の電気機器を運転させれば、外出時における電気機器の消し忘れを防止して省エネルギ化が図れるとともに、帰宅時に自動的に電気機器が運転し始めることによって利便性が向上する。
【発明の効果】
【００１９】
本発明によれば、住宅内に設置されているセキュリティ親機の警戒モード／非警戒モードの切替を住宅外から確実に行うことができる。
【図面の簡単な説明】
【００２０】
【図１】本発明の実施形態を示すシステム構成図である。
【図２】同上におけるインターホン親機のブロック図である。
【図３】同上におけるセキュリティセンサのブロック図である。
【図４】同上における操作器のブロック図である。
【図５】同上における電気錠装置（中継器）のブロック図である。
【発明を実施するための形態】
【００２１】
以下、セキュリティ機能を有するインターホンシステム（セキュリティインターホンシステム）に本発明の技術思想を適用した実施形態について、図面を参照して詳細に説明する。但し、従来技術で説明したようなインターホン機能を有しないセキュリティシステムに本発明の技術思想を適用することも勿論可能である。
【００２２】
本実施形態のセキュリティインターホンシステムのシステム構成例を図１に示す。住宅Ｈの玄関扉１００の外にドアホン子器３が設置され、住宅Ｈの内部（例えば、居間の壁）にインターホン親機（セキュリティ親機）１が設置され、ドアホン子器３とインターホン親機（以下、親機と略す。）１とが通信線Ｌｓで接続されている。また、住宅Ｈ内には窓Ｗの開閉状態や窓ガラスの破壊、あるいは窓や出入口の錠前の施解錠の状態等を検出して電波を媒体とする無線信号により異常検出信号を送信するセキュリティセンサ４が設置されている。尚、図示例ではセキュリティセンサ４を１台しか設置していないが、住宅Ｈの他の窓や玄関扉１００にもセキュリティセンサ４を設置しても構わない。
【００２３】
セキュリティセンサ４は、図３に示すように窓ガラスに加えられる衝撃（加速度）や窓の開閉状態、あるいは窓に設けられている錠前（例えば、クレセント錠）の施解錠状態などを検出する検出部４１と、電波を媒体とする無線信号をアンテナ４３より送信する無線送信部４２と、検出部４１で異常な状態、例えば、窓ガラスに所定のしきい値を超える衝撃が加えられた状態や窓が開いている状態、あるいは錠前が解錠されている状態などが検出されたときに無線送信部４２より無線信号（異常検出信号）を送信させるセンサ制御部４０とを具備している。
【００２４】
ドアホン子器３は、マイクロホン及びスピーカ、押釦スイッチ、撮像装置、信号処理回路などが合成樹脂成形品からなるハウジング３０内に収納されてなり、通信線Ｌｓによって親機１と接続されている。図示しない信号処理回路は、撮像装置から出力される映像信号を変調し且つ変調した映像信号とマイクロホンから出力される音声信号とを周波数分割多重化して通信線Ｌｓに送出するとともに通信線Ｌｓを介して親機１から送信される音声信号を信号処理してスピーカから音声を鳴動させるものである。また、ハウジング３０の前面下部には呼出釦３１が設けられており、呼出釦３１が操作されることで前記押釦スイッチがオンされて通信線Ｌｓを介して呼出信号が親機１に伝送される。尚、このようなドアホン子器３は従来周知であるから、詳細な構成並びに動作についての図示並びに説明は省略する。
【００２５】
親機１は、図２に示すようにＣＰＵやメモリを主構成要素とする親機制御部１０と、通信線Ｌｓを介してドアホン子器３との間で音声信号を送受信し且つドアホン子器３から送信される映像信号及び呼出信号を受信する送受信部１４と、マイクロホン１１及びスピーカ１２と、マイクロホン１１から出力される音声信号（送話信号）と送受信部１４で受信する音声信号（受話信号）との信号レベルを比較して相対的に信号レベルが高い方の音声信号のみを通過させる音声スイッチなどの信号処理を実行する音声処理部１３と、送受信部１４で受信する映像信号を復調する映像処理部１５と、液晶ディスプレイなどの表示デバイスを有し、映像処理部１５で復調された映像信号によって表示デバイスに映像を表示する映像表示部１６とを備えている。親機１はさらに、電波を媒体とする無線信号を送受信する無線通信部１７及びアンテナ１８と、押釦スイッチやタッチパネルなどを有して種々の操作入力を受け付ける操作入力受付部１９と、フラッシュメモリやＥＥＰＲＯＭなどの書換可能な不揮発性半導体メモリからなる記憶部２０と、発光ダイオードを点滅することで種々の表示を行う表示部２１と、信号線Ｌｘ，Ｌｙを介して住宅Ｈ内に設置されている電気機器（例えば、照明器具２００や空調機＜エアコンディショナ＞２１０など）の運転（点灯）／停止（消灯）を切換制御する機器コントロール部２２と、合成樹脂成形品からなり、これらの各部を収納するハウジング２３とを備えている。
【００２６】
ハウジング２３は住宅Ｈの壁に配設されるものであって、図１に示すように前面上部には映像表示部１６が有する表示デバイスの画面１６ａが露出し、前面下部には操作入力受付部１９が有する押釦スイッチを押操作するための応答釦２３ａが設けられ、前面中央には表示部２１の発光ダイオードが発する光を前方へ放射するための透孔２３ｂが貫設されている。また、ハウジング２３の側面にはアンテナ１８が突出している。
【００２７】
ここで、親機１とドアホン子器３を用いて来訪者と住人が通話する場合の動作を説明する。まず、来訪者がドアホン子器３の呼出釦３１を押操作すると、ドアホン子器３から通信線Ｌｓを介して親機１に呼出信号が送信された後、撮像装置が起動して来訪者を撮像した映像信号が通信線Ｌｓを介して親機１に送信される。親機１では、ドアホン子器３から送信された呼出信号を送受信部１４で受信すると、親機制御部１０が音声処理部１３を介してスピーカ１２から呼出音を鳴動させる。さらに親機１では、送受信部１４で受信する映像信号が映像処理部１５で復調され、映像表示部１６において来訪者の映像が表示される。
【００２８】
呼出音で呼び出された住宅Ｈの住人が親機１の映像表示部１６に表示された映像によって来訪者を確認し、ハウジング２３の前面に設けられている応答釦２３ａを押操作すれば、親機１の操作入力受付部１９で応答釦の操作入力が受け付けられて操作入力受付部１９から親機制御部１０へ操作信号が出力される。当該操作信号を受け取った親機制御部１０は、音声処理部１３を起動してマイクロホン１１から出力される音声信号を送受信部１４から通信線Ｌｓを介してドアホン子器３に送信させるとともにドアホン子器３から送信されて送受信部１４で受信する音声信号を音声処理部１３を経由してスピーカ１２に出力させる。
【００２９】
上述のようにして来訪者が発する音声並びに撮像装置で撮像された来訪者の映像が通信線Ｌｓを介してドアホン子器３から親機１に伝送されるとともに、住人の発する音声が通信線Ｌｓを介して親機１からドアホン子器３へ伝送されることで来訪者と住人がドアホン子器３と親機１を用いて通話することができる。
【００３０】
次に、親機１のセキュリティ機能について説明する。セキュリティセンサ４では、検出部４１で異常な状態（例えば、窓ガラスに所定のしきい値を超える衝撃が加えられた状態や窓が開いている状態、あるいは錠前が解錠されている状態など）が検出されるとセンサ制御部４０が無線送信部４２より無線信号（異常検出信号）を送信させる。親機１では、セキュリティセンサ４から送信された無線信号を無線通信部１７で受信し、無線通信部１７から親機制御部３に異常検出信号が送られる。このとき、親機制御部３が非警戒モードに切り替えられている（設定されている）場合は何も行われない。一方、警戒モードに切り替えられている（設定されている）場合、親機制御部３は音声処理部１３を制御してスピーカ１２から異常発生を報知するためのメッセージ（例えば、「窓ガラスが壊されました。」、「窓（扉）が開いています。」あるいは「窓（出入口）の鍵が掛かっていません。」というような音声メッセージ）を鳴動させるとともに、映像表示部１６や表示部２１に異常発生を報知するための表示を行わせる。尚、異常発生の報知が行われているときに親機１の操作入力受付部１９で報知停止の操作入力が受け付けられれば、親機制御部３はスピーカ１２からのメッセージの鳴動並びに映像表示部１６や表示部２１による報知の表示を停止する。
【００３１】
ここで、親機制御部３における警戒モードと非警戒モードの切替は、親機１のハウジング２３に設けられた警戒釦（図示せず）を操作するか、あるいは操作器５から送信される無線信号（モード切替信号）を受信することで行われる。
【００３２】
操作器５は、警戒モードの設定入力並びに非警戒モードの設定入力を受け付けて各々設定入力に対応した操作信号を出力する操作入力受付部５３と、アンテナ５２を介して電波を媒体とする無線信号を送受信する無線通信部５１と、液晶ディスプレイのような表示デバイスからなる表示部５４と、各部を制御する操作器制御部５０と、携帯が容易な形状及び寸法に形成された合成樹脂成形品からなり、これらの各部を収納する器体５５とを具備している。図１に示すように、器体５５の前面上部には表示部５４を構成する表示デバイスの画面が露出し、また、器体５５の前面下部には警戒モードに設定するための警戒設定釦５３ａと、警戒モードを解除（非警戒モードに設定）するための警戒解除釦５３ｂとが並設されている。すなわち、警戒設定釦５３ａが押操作されると操作入力受付部５３が警戒モードの設定入力を受け付けて警戒モード設定の操作信号を操作器制御部５０に出力し、警戒解除釦５３ｂが押操作されると操作入力受付部５３が非警戒モードの設定入力を受け付けて非警戒モード設定の操作信号を操作器制御部５０に出力する。そして、操作器制御部５０は、操作入力受付部５３から受け取った操作信号に応じて、警戒モードに設定する（切り替える）、あるいは非警戒モードに設定する（切り替える）ための無線信号（モード切替信号）を無線通信部５１から送信させる。
【００３３】
親機１では、操作器５から送信された無線信号（モード切替信号）を無線通信部１７で受信し、受信したモード切替信号に応じて親機制御部３が警戒モード又は非警戒モードに設定するとともに、設定後（切替後）のモード（警戒モード又は非警戒モード）を示すモード情報を通知するための無線信号を無線通信部１７から操作器５へ送信させる。尚、親機１、セキュリティセンサ４並びに操作器５には、それぞれ独立して固有のアドレスが割り当てられ、当該アドレスを用いて無線信号の送信先及び送信元を特定するようになっている。
【００３４】
操作器５では、親機１から送信された無線信号を無線通信部５１で受信し、操作器制御部５０が、受信した無線信号のモード情報に基づいて設定後（切替後）のモード（警戒モード又は非警戒モード）を表示部５４に表示させる。したがって、操作器５を操作した住人は、表示部５４の表示によって親機１が警戒モードに設定された、あるいは警戒モードが解除されたということを確認できる。尚、操作器５にブザーを搭載し、ブザーを鳴動させることで警戒モード及び非警戒モードの設定状況を報知することも可能である。ここで、セキュリティセンサ４が窓の開閉状態や錠前の施錠・解錠の状態を検出するものである場合、警戒モードに設定された親機１が何れかのセキュリティセンサ４から送信される無線信号（異常検出信号）を受信したときに親機制御部３から操作器５に対して、セキュリティセンサ４の異常検出状況、すなわち、窓が開いているとか窓や出入口の錠前が施錠されていないといった戸締まり状況を通知するための無線信号を無線通信部１７から送信させてもよい。そして、親機１から送信された無線信号を無線通信部５１で受信し、操作器制御部５０が、受信した無線信号の異常検出状況（戸締まり状況）を表示部５４に表示させれば、外出時に操作器５を操作した住人が表示部５４の表示によって住宅Ｈの戸締まり状況を確認でき、その結果、戸締まりのし忘れを防止することができる。尚、操作器５から異常検出状況を通知を要求する無線信号を親機１に送信し、この要求を受信したときに親機１から異常検出状況を操作器５に通知するようにしても構わない。
【００３５】
ここで、従来技術で説明したように最近の住宅Ｈでは金属製の玄関扉１００が設置されており、しかも、操作器５を用いた警戒モードと非警戒モードの切替操作は玄関扉１００の前で行われることが多いため、操作器５の無線通信部５１から送信された電波が玄関扉１００で遮蔽若しくは減衰されることによって住宅Ｈ内の親機１に到達しない可能性がある。そのために本実施形態では、住宅Ｈの外から操作器５が送信する無線信号（モード切替信号）を住宅Ｈ内の親機１に中継する中継器を玄関扉１００に設置している。さらに本実施形態では、玄関扉１００に設置されている電気錠装置６に中継器を一体に構成している。以下、図５を参照して電気錠装置６を詳細に説明する。
【００３６】
電気錠装置６は、電気錠６０、電気錠制御部６１、無線通信部６２並びに一対のアンテナ６３，６４がケース（図示せず）に収納されてなり、図１に示すように玄関扉１００の内部に設置される。電気錠は従来周知の構成を有し、モータによってデッドボルトを出没させることで施錠並びに解錠するものである。また電気錠制御部６１は、電気錠６０のモータを駆動制御する機能と、後述するように無線信号で受け取るＩＤ情報が予め設定されているＩＤ情報と一致するか否かの認証を行う機能とを有し、これら２つのＩＤ情報が一致して認証可と判定したときにモータを駆動して電気錠６０を施錠若しくは解錠するものである。無線通信部６２は電波を媒体とする無線信号を送受信するものであって、一方のアンテナ６３で受信した無線信号を増幅して他方のアンテナ６４から送信するとともに他方のアンテナ６４で受信した無線信号を増幅して一方のアンテナ６３から送信する機能（中継機能）を有している。すなわち、無線通信部６２と一対のアンテナ６３，６４とで中継器が構成されている。尚、一方のアンテナ６３は玄関扉１００の内側（住宅Ｈ内側）に設けられ、他方のアンテナ６４は玄関扉１００の外側（住宅Ｈ外側）に設けられている。
【００３７】
而して、外出の際に住人が玄関扉１００の外から操作器５の警戒釦５３ａを操作すれば、既に説明したように警戒モードに設定するための無線信号（モード切替信号）が操作器５から送信される。送信機５から送信された無線信号は玄関扉１００の外側に設けられているアンテナ６４で受信され、無線通信部６２によって玄関扉１００の内側に設けられているアンテナ６３から送信される。そして、アンテナ６３から送信された無線信号が親機１で受信されて親機制御部３が警戒モードに設定される（切り替えられる）のである。一方、帰宅した際に住人が玄関扉１００の外から操作器５の警戒解除釦５３ｂを操作すれば、既に説明したように非警戒モードに設定するための無線信号（モード切替信号）が操作器５から送信される。送信機５から送信された無線信号は玄関扉１００の外側に設けられているアンテナ６４で受信され、無線通信部６２によって玄関扉１００の内側に設けられているアンテナ６３から送信される。そして、アンテナ６３から送信された無線信号が親機１で受信されて親機制御部３が非警戒モードに設定される（切り替えられる）のである。但し、隣家の住人が操作した操作器５から送信される無線信号によって親機１が誤って警戒モードあるいは非警戒モードに切り替えられることを防ぐため、各住宅Ｈ毎に割り当てられる固有のＩＤ情報をモード切替信号に含め、モード切替信号を受け取った親機制御部３がＩＤ情報の認証を行うようにしている。
【００３８】
また、本実施形態においては、電気錠装置６の無線通信部６２がモード切替信号に含まれるＩＤ情報を電気錠制御部６１に渡し、電気錠制御部６１が無線通信部６２から受け取ったＩＤ情報の認証を行い、認証可と判定すれば電気錠６０を制御して施錠又は解錠するようにしている。つまり、１台の操作器５によって親機１の警戒モードと非警戒モードの切替操作と、電気錠６０の施錠・解錠操作とを同時に行うことができる。但し、電気錠６０の施錠及び解錠のための専用の釦を操作器５の器体５５前面に設けておき、電気錠６０の施錠及び解錠の操作と親機１の警戒モード／非警戒モードの設定（切替）の操作とを独立して行うようにしても構わない。尚、無線信号でＩＤ情報を送信する場合、ＩＤ情報を暗号化することにより、操作器５以外のものから送信される無線信号によって親機１が不正に非警戒モードに切り替えられたり、電気錠装置６が不正に解錠されるのを防ぐことができる。
【００３９】
ところで、本実施形態の親機１では機器コントロール部２２によって住宅Ｈ内の照明器具２００や空調機２１０を制御することができるので、例えば、警戒モードに設定されたときに親機制御部３が機器コントロール部２２によって照明器具２００を消灯し且つ空調機２１０を停止させれば、外出時の照明器具２００や空調機２１０の消し忘れを防ぐことができて省エネルギ化が図れる。また、非警戒モードに設定されたときに親機制御部３が機器コントロール部２２によって照明器具２００を点灯し且つ空調機２１０を運転させれば、帰宅時に照明器具２００を自動的に点灯したり、空調機２１０を自動的に運転させることができて使い勝手が向上する。
【００４０】
ここで、操作器５を電気錠装置６の鍵として利用する場合、個々の住人（例えば、父，母，子供など）が各々操作器５を携帯する必要がある。このとき、複数台の操作器５にはそれぞれ固有のＩＤ情報が割り当てられているから、ＩＤ情報に基づいて当該ＩＤ情報の送信元である操作器５を携帯している住人が誰であるかを判別することができる。そして、この住人の判別結果を利用すれば、親機１による電気機器の制御を効率的に行うことができる。例えば、親機１の記憶部２０に操作器５のＩＤ情報と住人との対応関係を記憶しておき、中継器（電気錠装置６）から中継された無線信号（モード切替信号）を受信したとき、当該モード切替信号に含まれるＩＤ情報と記憶部２０に記憶している対応関係とに基づいて帰宅した住人が誰であるかを親機制御部３で判別する。一方、親機１の記憶部２０には各住人毎に帰宅時に点灯すべき照明器具２００や運転すべき空調機２１０の識別符号が記憶されており、親機制御部３では、記憶部２０に記憶されている住人と識別符号との対応関係を参照して、例えば、ＩＤ情報に基づいて子供が帰宅したと判定した場合は居間と子供部屋の照明器具２００を点灯するとともに子供部屋の空調機２１０を運転したり、あるいはＩＤ情報に基づいて母が帰宅した判定した場合は居間並びに台所の照明器具２００を点灯する。このようにすれば、帰宅した住人に応じて住宅Ｈ内の電気機器を適切に制御することができて省エネルギ化と利便性の向上とが図れるものである。
【００４１】
尚、本実施形態における中継器（電気錠装置６）では操作器５から送信された無線信号を親機１に対して無線信号で中継しているが、親機１と中継器との間の通信方式を有線通信方式とし、操作器５から送信された無線信号を中継器で有線信号に変換して親機１に有線通信する構成としても構わない。
【符号の説明】
【００４２】
１  インターホン親機（セキュリティ親機）
４  セキュリティセンサ
５  操作器
６  電気錠装置（中継器）
１００  玄関扉
【図１】
2010282571.tif 000003
【図２】
2010282571.tif 000004
【図３】
2010282571.tif 000005
【図４】
2010282571.tif 000006
【図５】
2010282571.tif 000007